(57)【要約】【課題】ホルダが、改善された保持特性を有しているようにする。【解決手段】各保持エレメント７が、鉛直方向でずらされた少なくとも２つの緊締点１４，１５を有していて、ばねエレメント９によって取り付けられており、これによって、それぞれ１つの保持エレメント７とばねエレメント９とが、水平に傾倒可能な緊締エレメント１２を形成しているようにした。【選択図】図１
2004182229.tif 000002
【特許請求の範囲】
【請求項１】
飲料容器（２）のためのホルダ（１）であって、容器収容部（３）と、ばね弾性的に半径方向に押離し可能なかつ容器収容部（３）内に突入した保持エレメント（７）を備えた緊締エレメント（１２）とが設けられている形式のものにおいて、各保持エレメント（７）が、鉛直方向でずらされた少なくとも２つの緊締点（１４，１５）を有していて、ばねエレメント（９）によって取り付けられており、これによって、それぞれ１つの保持エレメント（７）とばねエレメント（９）とが、水平に傾倒可能な１つの緊締エレメント（１２）を形成していることを特徴とする、飲料容器のためのホルダ。
【請求項２】
ばねエレメント（９）が、ばね線材（９）である、請求項１記載のホルダ。
【請求項３】
保持エレメント（７）が、互いにずらされたそれぞれ２つの孔（１３）を有しており、ばね線材（９）が、孔（１３）内に係合する自由端部（１１）を備えたそれぞれ２つの脚部（１０）を有しており、各脚部（１０）の少なくとも１つの区分が、孔（１３）のほぼずれ方向に延びており、両脚部（１０）が、ずれ方向で互いにプレロード下にある、請求項２記載のホルダ。
【請求項４】
孔（１３）が、ほぼ鉛直方向で互いにずらされている、請求項３記載のホルダ。
【発明の詳細な説明】
【技術分野】
【０００１】
本発明は、飲料容器のためのホルダであって、容器収容部と、ばね弾性的に半径方向に押離し可能なかつ容器収容部内に突入した保持エレメントを備えた緊締エレメントとが設けられている形式のものに関する。
【背景技術】
【０００２】
公知先行技術に基づき、カップ、コップ、飲料缶、ボトルまたはこれに類するもののためのポット状の容器収容部を備えた、冒頭で述べた形式の多数のホルダが公知である。この公知のホルダは、部分的に全周にわたって分配されて配置された、フラップ、保持ジョーまたはこれに類するものの形の１つまたはそれ以上の緊締エレメントを有している。この緊締エレメントはポット状の容器収容部の内部に突入していて、ばね弾性に基づき、飲料容器の外周面から半径方向で押し離すことができ、緊締によって飲料容器に保持を付与している。このような形式のホルダは、たとえばドイツ連邦共和国特許出願第１００１５１９７．３号明細書に記載されている。相応の緊締エレメントは補償フラップから成っている。この補償フラップは旋回軸受けを介してばね弾性的に取り付けられている。しかし、このような形式の緊締エレメントは、補償フラップがほぼ同じ高さの緊締点でしか緊締せず、したがって、特に高い飲料容器にしばしば不十分な保持しか付与しないという欠点を有している。
【特許文献１】ドイツ連邦共和国特許出願第１００１５１９７．３号明細書
【発明の開示】
【発明が解決しようとする課題】
【０００３】
したがって、本発明の課題は、冒頭で述べた形式の、飲料容器のためのホルダを改良して、ホルダが、改善された保持特性を有しているようにすることである。
【課題を解決するための手段】
【０００４】
この課題を解決するために本発明の構成では、各保持エレメントが、鉛直方向でずらされた少なくとも２つの緊締点を有していて、ばねエレメントによって取り付けられており、これによって、それぞれ１つの保持エレメントとばねエレメントとが、水平に傾倒可能な緊締エレメントを形成しているようにした。
【発明の効果】
【０００５】
本発明によるホルダは、それぞれ少なくとも２つの緊締点を備えた保持エレメントを有している。この場合、緊締点は鉛直方向で互いにずらされている。保持エレメントはばねエレメントを介してホルダのハウジングに取り付けられているので、それぞれ１つの保持エレメントとばねエレメントとが１つの緊締エレメントを形成している。ばねエレメントは、一方で保持エレメントの半径方向のばね弾性のために働き、他方で保持エレメントの水平な傾倒のために働く。これによって、一方では、種々異なる飲料容器サイズに対する直径補償が達成される。他方では、保持エレメントの傾倒可能性によって、この保持エレメントが、特に円筒状と異なる形状の飲料容器の場合に鉛直方向でも飲料容器に適合されることが達成される。
【０００６】
ばねエレメントが、ばね線材であり、保持エレメントが、互いにずらされたそれぞれ２つの孔を有しており、両孔内にそれぞれ１つのばね線材の２つの自由端部が係合すると有利である。この場合、双安定的なシステムを達成するためには、ばね線材が、孔内に係合する自由端部を備えたそれぞれ２つの脚部を有しており、各脚部の少なくとも１つの区分が、孔のずれ方向に延びており、両脚部が、この区分で互いにプレロード下にある。「双安定的」とは、配置形式およびプレロードから、緊締エレメントのための安定した２つの状態を生ぜしめることができることを意味している。脚部の、前述した２つの区分と、孔とが１つの平面に位置している状態は不安定であるのに対して、一方向または他方向への保持エレメントの傾倒によって、その都度安定した１つの状態が達成される。プレロードは、保持エレメントへのばね線材の接合時の適宜な弾性変形によって形成することができる。２つの孔が、鉛直方向で互いにずらされていると有利であり、これによって、ばね線材が、鉛直方向に延びるそれぞれ１つの区分を備えた２つの脚部を有している。両脚部には、鉛直方向で互いに離れる方向にプレロードがかけられている。双安定的な特性によって、たとえばくびれたボトルに対して、ボトルの導入時に双安定的なシステムの傾倒点が越えられ、これによって、モーメント形成による半径方向のばね作用が強化される場合に保持の著しい改善が達成される。
【発明を実施するための最良の形態】
【０００７】
以下に、本発明を実施するための最良の形態を図面につき詳しく説明する。
【０００８】
図１に示したホルダ１は、自動車に組み付けるために設けられていて、ボトル２または別の飲料容器、たとえばカップ、コップ、飲料缶またはこれに類するものを保持するために使用することができる。ホルダ１はポット状の容器収容部３を有している。この容器収容部３の開放した上側には、ホルダ１がカバー４を有している。択一的には、容器収容部３が、自動車におけるホルダ１のための組付け開口を閉鎖するために設けられたフランジ状のパネルに一体に移行していてもよい。容器収容部３の内側の周壁６の開口５には、４つの保持エレメント７が全周にわたって分配されて配置されている。これらの保持エレメント７は容器収容部３の内法の幅を狭めていて、緊締した状態でボトル２に保持を付与している。保持エレメント７はホルダ１のハウジング８に複数のばね線材９を介して取り付けられている。図２には、１つのばね線材９が組付け状態で示してある。このばね線材９は、特に鉛直方向に延びる２つの脚部１０と、両自由端部１１とを有している。この両自由端部１１の中心軸線は鉛直方向で互いにずらされている。ばね線材９の製造状態では、すなわち、ばね線材９の組付け前には、このばね線材９が軸線Ａを中心としてねじられている。接合時に図示のジオメトリ（幾何学的形状）が弾性変形によって強要される。これによって、鉛直方向に延びる両脚部１０に互いに離れる方向に予荷重もしくはプレロードがかけられている。自由端部１１は、保持エレメント７の、鉛直方向で互いにずらされた２つの孔１３内に係合する。これによって、保持エレメント７とばねエレメント９とが、双安定的に水平に傾倒可能な１つの緊締エレメント１２を形成している。両脚部１０が互いに平行に起立しているかもしくは脚部１０と、自由端部１１と、孔１３とが１つの平面に位置してる状態は、脚部１０における引張り負荷もしくは押圧負荷に基づき不安定である。システムは、脚部１０が軸線Ａを中心として互いに逆方向にねじられることによって、２つの側に向かって傾倒することができる。これによって、保持エレメント７が、ボトル２に対して接線方向に位置する水平な軸線を中心として傾倒される。達成可能な傾倒角は主として両脚部１０のプレロードに関連している。飲料容器がホルダ１内に設置されていない限り、保持エレメント７は、通常、下側の緊締箇所１４が上側の緊締箇所１５よりも十分に半径方向内側に向けられているように傾倒させられている。ボトル２の設置時には、保持エレメント７が半径方向外向きに押圧される。すなわち、ばね線材９の両脚部１０が軸線Ｂを中心として弾性的に回動させられる。ボトル２のジオメトリと、これによって緊締箇所１４，１５に作用する力とに関連して、保持エレメント７の水平な傾きが適合され、場合によっては、たとえばここに図示したような不安定な傾き状態を越えて傾倒する。これによって、くびれたボトル２の極めて良好な保持が達成される。なぜならば、ボトル２を取り出すためには、不安定な状態が越えられなければならないからである。すなわち、保持エレメント７は、ばね線材９の、半径方向に作用するばね弾性を介してだけでなく、脚部１０に作用する力によって保持エレメント７に形成される傾倒モーメントを介しても緊締している。
【図面の簡単な説明】
【０００９】
【図１】本発明によるホルダを部分的に破断した斜視図である。
【００１０】
【図２】図１に示したホルダのばね線材を組付け状態で示す図である。
【符号の説明】
【００１１】
１  ホルダ、  ２  ボトル、  ３  容器収容部、  ４  カバー、  ５  開口、  ６  周壁、  ７  保持エレメント、  ８  ハウジング、  ９  ばね線材、  １０  脚部、  １１  自由端部、  １２  緊締エレメント、  １３  孔、  １４  緊締箇所、  １５  緊締箇所、  Ａ  軸線、  Ｂ  軸線
【図１】
2004182229.tif 000003
【図２】
2004182229.tif 000004